(57)【要約】流体を格納する働きをする貯蔵器を形作る容器（１）であって、貯蔵器の内側を外側と接続する開口部（１５）を形作るネック（１０）を供えており、前記ネックは外周壁（１３）を有する、という前記容器と、容器（１）のネック（１０）に設置されて貯蔵器から流体を引き出す、ポンプ又は弁などのディスペンサ部材（２）と、容器のネックにディスペンサ部材を固定するための固定手段（３，４，５，６）であって、ディスペンサ部材を受け止めるためのリセス形成手段（３３）と容器のネックへの留めを実現する留め手段（３６，６；４８）とを有し、更に、ネックを囲む形で延びる実質的に円筒形をしたシース（３０，５０）をも有する、という前期固定手段と、を有する流体ディスペンサであり、特徴となる点は、固定手段が更に、容器のネックを囲む形で配置されたリング（４）と、ネックの外側壁（１３）に接する環状要素（３６；６；４８）とを有し、リング（４）がシース（３０，５０）内にはめ込まれ、それによって環状要素をネックの外側壁に向けて押し付けることである、という前記流体ディスペンサ。
2004521724.tif 000002
【特許請求の範囲】
【請求項１】
流体を格納する働きをする貯蔵器を形作る容器（１）であって、貯蔵器の内側を外側と接続する開口部（１５）を形作るネック（１０）を供えており、前記ネックは外周壁（１３）を有する、という前記容器と、
容器（１）のネック（１０）に設置されて貯蔵器から流体を引き出す、ポンプ又は弁などのディスペンサ部材（２）と、
容器のネックにディスペンサ部材を固定するための固定手段（３，４，５，６）であって、ディスペンサ部材を受け止めるためのリセス形成手段（３３）と容器のネックへの留めを実現する留め手段（３６，６；４８）とを有し、更に、ネックを囲む形で延びる実質的に円筒形をしたシース（３０，５０）をも有する、という前期固定手段と、を有する流体ディスペンサであり、
特徴となる点は、
固定手段が更に、容器のネックを囲む形で配置されたリング（４）と、ネックの外側壁（１３）に接する環状要素（３６；６；４８）とを有し、リング（４）がシース（３０，５０）内にはめ込まれ、それによって環状要素をネックの外側壁に向けて押し付けることである、
という前記流体ディスペンサ。
【請求項２】
固定手段は、リセス形成手段（３３）とネックの外側壁を囲む形で延びるスカート（３０）とを形作る固定用切片（３）で成り、
スカート（３０）にはシースが形成され、当該シースにリング（４）がはめ込まれること、
を特徴とする請求項１に記載の流体ディスペンサ。
【請求項３】
固定手段は、スカート（３０）と当該スカート（３０）を囲む形で延びるトリムバンド（５）とを形作る固定用切片（３）で成り、
バンドにはシースが形成され、当該シースにリング（４）がはめ込まれること、
を特徴とする請求項１に記載の流体ディスペンサ。
【請求項４】
環状要素は、スカート（３０）、リング（４）そしてネックの外側壁（１３）の間に配置される、独立した変形可能な切片（６）であること、
を特徴とする請求項１又は２に記載の流体ディスペンサ。
【請求項５】
環状要素は、スカート（３０）の変形可能な部分（３６）によって形成されていること、
を特徴とする請求項１乃至３のいずれかに記載の流体ディスペンサ。
【請求項６】
環状要素は、リング（４）の変形可能な部分（４８）によって形成されていること、
を特徴とする請求項１乃至３のいずれかに記載の流体ディスペンサ。
【請求項７】
リング（４）とシース（３０，５０）との間のかみ合いは、ねじを手段としてなされていること、
を特徴とする請求項１乃至６のいずれかに記載の流体ディスペンサ。
【請求項８】
リング（４）とシース（３０，５０）との間のかみ合いは、バーブを手段としてなされていること、
を特徴とする請求項１乃至６のいずれかに記載の流体ディスペンサ。
【請求項９】
リング（４）とシース（３０，５０）との間のかみ合いは、締まりばめによってなされていること、
を特徴とする請求項１乃至６のいずれかに記載の流体ディスペンサ。
【請求項１０】
ネックの外側壁（１３）には、内向きに延びるレッジ（１２）が形成されており、環状要素（３６；６；４８）は前記レッジ（１２）に対して押し付けられること、
を特徴とする請求項１乃至９のいずれかに記載の流体ディスペンサ。
【請求項１１】
リング（４）には、環状要素（３６）をネックの外側壁（１３）に押し付けるためのカム（４２）が形成されていること、
を特徴とする請求項１乃至１０のいずれかに記載の流体ディスペンサ。
【請求項１２】
スカート（３０）には、環状要素（４８）をネックの外側壁（１３）に押し付けるためのカム（３８）が形成されていること、
を特徴とする請求項１乃至８のいずれかに記載の流体ディスペンサ。
【請求項１３】
ネック（１０）は、リング（４）がネックの周りで回転するのを防ぐためのロック手段（１４）を備えていること、
を特徴とする請求項７に記載の流体ディスペンサ。
【請求項１４】
リング（４）は、底側端部（４６）で容器（１）に接すること、
を特徴とする請求項１乃至１３のいずれかに記載の流体ディスペンサ。
【請求項１５】
スカート（３０）は、リングのところでスカートに接触するトリム（５）を備えていること、
を特徴とする請求項２に記載の流体ディスペンサ。
【請求項１６】
環状要素は密封要素であり、容器のネックのところで周囲密封を実現すること、
を特徴とする請求項１乃至１５のいずれかに記載の流体ディスペンサ。
【発明の詳細な説明】
【０００１】
本発明は、容器、ポンプ又は弁などのディスペンサ部材、そしてディスペンサ部材を容器に固定するための固定手段、を有する流体ディスペンサに関する。一般的に、容器には、ディスペンサ部材によって投与される流体を格納する働きをする貯蔵器が形作られている。また、容器には、開口部を形作るネックが設けられており、その開口部の中には、ディスペンサ部材が固定手段によって固定されている。固定手段は一般に、ディスペンサ部材を保持するリセス形成手段を有する（保持は、スナップ留めによることが多い）。固定手段はさらに、容器のネックに留めるための留め手段を有する。
【０００２】
従来の形として、固定手段は固定用切片を有することが多く、この切片は、実質的に円筒形でネックを囲んで延びるスカートを形作る。同様に、従来の形として、ネックには、内向きに延びるレッジが形成された補強用リムが設けられており、当該レッジは、ネックの中で他より細くなった底面側部分に接し、当該部分は肩を介して貯蔵器につながる。
【０００３】
よく知られた固定技法として、スカートを用い、補強用リムの下の所で（すなわちレッジにおいて）留めを実現する、というものがある。このタイプの技術的解決法は、いくつか知られている。具体的には、終端がスナップ留めヘッドとなったタブをスカートに設けるというものがある。このスナップ留めヘッドは、補強用リムの下でレッジにかみ合う形で働く。一般に、タブを所定位置にロックするためには、スカートを覆うバンドが用いられる。また、別の技法では、切れ目のない様態でスカートを形成し、補強用リムの下で受け止められるスナップ留めビーズをスカートの内側に設ける、という構成で固定を実現する。
【０００４】
スナップ留めタブやスナップ留めヘッドを用いた固定技法では、ロック用のバンドの使用が必要となる。そのため、スカートを容器のネックの上に設置するより前にバンドの設置を行うことはできない。また、もう一方の技法、すなわち、内側にビーズを設けた切れ目のないスカートによってスナップ留めを実現する、という技法では、固定が万全でない場合があり、そうすると、ディスペンサ部材は、これを引っ張りさえすれば、手で引き抜くこともできてしまう。よって、ユーザーが最初にディスペンサを使う前の状態では、タンパープルーフが保証されているとは言えない。
【０００５】
本発明の目的は、従来技術に関する前述の問題点を解消することであり、そのために、ロック用バンドを用いなくとも固定手段が内部で適切に安定している、というディスペンサを規定する。よって、バンドが用いられるとしても、それは単なる装飾的なトリムバンドであるから、スカートが容器のネックに設置される前に、スカートに予め設置しておくことができる。
【０００６】
この目的を達成するために、本発明が提供する固定手段は、容器のネックを囲む形で配置されたリングと、ネックの外側壁に接する環状要素とを有し、リングがスカート又はトリムに形成されたシース内にはめ込まれ、それによって環状要素をネックの外側壁に向けて押し付ける、というものになっている。この構成では、リングの相対的な移動を利用して、環状要素をネックの外壁方向に押しやる、あるいは、これに押し付ける。環状要素は、リングによって押し込まれることで強い圧力を受ける状態となると、ネックガスケットと同じように、密封要素として機能することもできる。これらの２つの部分がお互いに対して移動し、それによって環状要素をネックの外壁に接触させる、ということを可能にしているのは、シース内へのリングのはめ込みである。
【０００７】
環状要素については、スカートの一部、又はリングの一部であって、リング又はスカートに押されてネックの外壁に接触する変形可能部分、という形にすることもできる。この変形可能部分がスカートに形成されている場合は、リングがカムの役割を果たし、前記変形可能な部分をネックの外壁に押し付ける。一方、変形可能部分がリングに形成されている場合、リングをネックの外壁に押し付けるのはスカートである。スカート又はリングの「押す動作」は、カムシステムを用いて実現することもできる。
【０００８】
また、変形例として、環状要素は、スカート、リングそしてネックの外側壁の間に配置される、独立した変形可能な切片（例えば、Ｏ−リングシールの形をしたもの）とすることもできる。
【０００９】
スカート内部、又はバンド内部でのリングのはめ込みを実現するための技法はさまざまであり、具体的には、ネジ留め、クランピング、スナップ留め、あるいはバーブがある。バーブを用いるとはめ込みは不可逆的となるため、固定は永久的となる。
【００１０】
また、実施の形態の１つとして、ネックは、リングがネックの周りで回転するのを防ぐためのロック手段を備えていること、とする。特に、リングとスカートとの間のかみ合いがネジ留めで実現されている場合、リングの回転を防止する必要がある。リングがスカートと共に回転することのないようにしつつ、スカートをリング上にネジ留めするには、ネックにリングをロックする必要がある。
【００１１】
リングとスカートとの間のかみ合いがバーブで実現される場合、リングに被せてスカートを装着するためには、リングがネック上で並進して（ｉｎ ｔｒａｎｓｌａｔｉｏｎ）移動するのを防止する必要がある。そのために、リングは、底側端部で容器に接すること、とすればよい。より厳密に言えば、貯蔵器の本体とネックとが出会う位置で、リングが容器に接するようにする。
【００１２】
また、別の特徴として、スカートは、リングのところでスカートに接触するトリムを備えていること、としてもよい。リングが移動してもスカートの外壁は変形しないため、スカートへのトリムバンドの設置は、それが容器のネックに設置される前であっても可能である。
【００１３】
本発明に関しては、これ以降の部分で、非制限的な例としての本発明の実施の形態を示す添付図面を参照しながら、より詳しく説明していく。
【００１４】
図面に示す全ての実施の形態において、流体ディスペンサは、その一部のみを示しているが、これは、貯蔵器を図示していないためである。図には、容器の頂上部分のみを示しており、その部分にはネック１０が形成されており、ネック１０には開口部１５が形成されている。開口部１５内にはディスペンサ部材が延びているが、ここに示す例でのディスペンサ部材はポンプ２である。なお、ディスペンサ部材については弁としてもよい。容器１のネック１０は外周壁１３を形作っている。ポンプ２は、固定手段３によってネック１０の開口部１５内に固定されている。固定手段は、リセス３３が形作られた固定用切片３でなり、リセス３３内では、ポンプ２の本体２０に形成されたカラー２２がスナップ留めによって保持されている。スナップ留めリセス３３には中央開口部が設けられており、この開口部を通ってポンプ２のアクチュエータロッド２３が延びている。アクチュエータロッド２３の上には、オプションとしてノズル２５を設けたプッシャ２４が設置されている。ポンプ２０の本体のもう一方の端部には入口スリーブ２１が設けられており、そこには、オプションとして、容器１内の貯蔵器の底まで延びるディップチューブを装着することも可能である。そうして、スナップ留めリセス３３は、外向きに延びて環状ウェブ３２を形作り、当該ウェブはネック１０の頂上側端部に受け止められる。固定用切片３のうち、径方向ウェブ３２の外周を囲む形で下方に伸びた部分は、ネック１０を囲むスカート３０となっている。美感上の理由から、スカート３０については、容器１に接触する直前まで下方に伸ばすことにしてもよい。
【００１５】
これまでに述べた内容は、流体ディスペンサとして、全く従来通りのデザインである。
全ての実施の形態において、容器１のネック１０には、外向きに突き出した補強用リム１１が設けられている。この補強用リム１１はレッジを有し、このレッジは内側に戻るように、ネック１０のうちリムより薄い底側部分へと延びており、この底側部分が容器の貯蔵器とつながる所で肩１６が形成される。ネック１０の外周１３は、補強用リム１１およびレッジ１２の外側面によって形成されている。
【００１６】
本発明における固定手段は、固定用切片３に加えてリング４を有し、このリング４はやはり、スカート３０の内側にあってネック１０を囲む形で延びている。リングは、ネジ留めによって、または、バーブを用いて、スカート３０の内側とかみ合っている。
【００１７】
また、本発明における固定手段はさらに、固定用切片３およびリング４に加えて、ネック１０の外周壁１３に接する環状要素を有する。言い換えると、環状要素は、補強用リム１１又はレッジ１２に接する。
【００１８】
本発明においては、スカート３０内でかみ合った状態となったリング４が、環状要素を押してネック１０の外側壁に接触するようにする。これが本発明の基本原理である。
【００１９】
ここで、本発明の第１の実施の形態を説明するために、特に図１（ａ）および（ｂ）を参照する。本実施の形態におけるリング４は、バーブによってスカート３０内にかみ合う。図１（ｂ）を見ればより明らかであるが、リング４は、本体４０の上にヘッド４１が乗った形で形成されている。
【００２０】
リング４の本体４０の外側壁にはバーブ形成突起４４が設けられており、スカート３０の内側壁に食い込むようになっている。バーブ形成突起４４は、リング４がスカート内でただ一方向（すなわち、上方向）にのみ移動するように、形が決められている。リング４をスカート３０内で下方向に戻るように動かすことは不可能である。
【００２１】
この例における環状要素は、スカート３０に形作られた変形可能部分３６によって形成されている。変形可能部分３６は、スカート１０の周囲全体を囲んで延びるか、あるいは、前記スカートを囲む１個以上のセグメントとして、あるいは、スカートを囲むタブの形で置かれている。変形可能部分３６は、終端がヘッド３６０となる本体３６１を有する。初期状態（図示せず）におけるリング４は、スカート３０内に部分的にしかかみ合っていないため、変形可能部分３６は、リング４と一直線に、スカート３０に沿って延びている。そのとき、リング４のヘッド４１は、変形可能部分３６のヘッド３６０の真下の位置にある。このような形状であるため、固定手段３を容器１のネック１０にかみ合わせることも容易に可能となる。これは、変形可能部分３６が、まだ内向きに突き出ていないからである。リング４の底側端部４６が容器１に接触すると直ちに、固定手段３には更なる圧力が加わり、リング４は移動してスカート３０内に進入し、リング４の中を上がっていく。リング４のヘッド４１には傾斜カム面４２が設けられており、当該カム面によって、ヘッド４１が変形可能部分３６のヘッド３６０の下にかみ合うことが可能となる。ヘッド４１がヘッド３６０とスカート３０との間にかみ合った状態となることにより、ヘッド３６０は内向きに（すなわち、補強用リム１１およびレッジ１２の下に）移動することになる。固定手段３に圧力を加え続けることによって、リング４がスカート３０内部にかみ合った状態を継続させることが可能となり、最終的は、相互キャッチ４３の位置で、リングのヘッド４１が変形可能部分３６のヘッド３６０にスナップ留めされる。その時、リング４はスカート３０の中に最大限にかみ合っている。その状態は、図１（ａ）と、その拡大図である図１（ｂ）とに示す通りである。この状態では、ヘッド３６０は、本体３６１の一部がそうであるように、内向きに押されている。その本体の一部とは、傾いた状態となることによって外壁がレッジ１２に接触している部分であり、レッジとの接触位置は、レッジと補強用リム１１とが出会う位置でもある。変形可能部分３６がネックの周囲全体にわたって切れ目なく形成されている場合、変形可能部分３６と補強用リム１１の内側エッジとの間の接触も、ネックの周囲全体にわたって切れ目なく実現されるので、万全な形での固定と効率的な密封とが同時に実現される。留意すべき事実として、本実施の形態（変形可能部分に切れ目がないもの）では、フランジ３２とネック１０の頂上側端部との間に挿入されるはずのネックガスケットを省くことができる。
【００２２】
また、別の留意点として、本実施の形態ではバーブプロファイル４４を省くこともできる。これは、ヘッド４１がヘッド３６０の上にスナップ留めされているためである。これのみ行うと、その結果として、リング４を反対方向に移動させて、これをスカート３０から引き抜くことができなくなる。バーブ形成突起は単に補助的手段として、スカート３０の内部でのリング４の留め状態を向上させるのみとなる。
【００２３】
さらに、留意すべき点として、固定手段３は円筒形本体５０の形をとるトリムバンド５で覆われており、本体５０の頂上側端部における終端は、内向きに延びる折り曲げエッジ５１となっており、このエッジ５１はソケット３１の端部に受け止められる形で接触している、ということがある。トリムバンド５の円筒形本体５０は、リング４のところでスカート３０と接触している。スカート３０内をリング４が移動することによって、スカート３０に外向き径方向の変形が生じることはない、と言える（上で述べた従来技術の固定技法では、こうした変形が生じていた）。そのため、容器のネックに固定手段を取り付けるのに先立って、トリム５を固定手段３に取り付けることが可能である。そうすると、リングと固定手段とで成り、トリム５で覆われたユニットを、組み立てられた状態で提供することが可能となる。その後にやらなければならないことといえば、容器を充填すること、そして、ポンプやトリム５と共に単一のユニットとして固定手段を取り付けることだけである。
【００２４】
ここからは、図２および図３を参照しながら、本発明の第２の実施の形態について説明する。本実施の形態における固定手段３にも、ポンプ２の本体２０を保持するためのスナップ留めリセス３３と、補強用リム１１および内向きに延びるレッジ１２が設けられたネック１０の外周を囲む形で延びるスカート３０とが形成されている。この実施の形態でも同様に、固定手段は、スカート３０の内側にかみ合うリング４、リング４とスカート３０との間に挿入された環状要素６、を有する。
【００２５】
この実施の形態におけるリング４とスカート３０との間のかみ合いは、ネジによるかみ合いであり、リング４がスカート３０内にねじ込まれる。環状要素６は分割された変形可能な切片の形を取り、リング４、スカート３０、そしてネック１０の外側壁１３の間に配置されている。より正確に言えば、この実施例における環状要素６は、固定用および密封用のガスケットとして働くものであり、リング４の頂上側端部とスカート３０との間で圧縮されることにより、圧力を受けた状態でネック１０の外側壁１３に対して押し付けられ、その位置で密封用ガスケットを形成する。環状要素６は、一部がスカート３０に形成されたリセス内に保持され、そのリセスの中には、リング４の頂上側端部が進入してリセスの容積を小さくし、そうすることで、前記リセス内に挿入された環状要素を圧縮する。容易に理解できる通り、リング４をスカート３０内にネジ留めすると、結果として、環状要素６は圧縮され、それによってネック１０の外側壁１３に強く押し付けられる。
【００２６】
初期状態では、リング４は環状要素６を押さなくとも充分であり、その結果、容器のネックに固定手段３を容易にかみ合わせることが可能となる。その後は、それは、スカート３０をリング４にネジ留めして、スカート３０の内部でリング４が上がっていくようにすれば充分であり、それによって、環状要素６は圧縮される。この目的のためには、リング４がネック１０上で回転しないようにする必要がある。それを実現するには、ネック１０には、２本のリブ１４のかたちでロック手段が形成されている。これらリブは、ネックの補強用リム１１の下を延びて、さらに外側に突き出ている。リング４には２つの深いノッチが設けられており、ここに２つのリブ１４がはまり込む。リング４におけるノッチは深く延びているので、浅く切れ目のないカラー４６だけが残り、このカラーは、図２に示すように、リブ１４より上に配置されている。このようにして、リング４がネック１０の周りで回転する事態は防止される。そうして、リングがスカートと共に回転する危険なしに、スカート３０をリングにネジ留めすることができる。
【００２７】
この実施の形態では、リングが底側端部を介して容器に接する形にはなっておらず、代わりに、補強リブ１４によってリングが回転するのを防止している。
【００２８】
この実施の形態において留意すべきは、ネックへの密封固定が、ネックの肩１２においてではなく円筒状外側壁において実現され、そのため、リム１１のない形でネックを形成することもできる、という点である。
【００２９】
ここからは、図４を参照しながら、もう１つの実施の形態について説明する。本実施の形態は、図２に示した実施の形態にかなり類似しており、そこでの環状要素６は、独立した変形可能な切片が、リング４、スカート３０、そしてネック１０の外側壁１３の間に配置されている、という形をとっていた。一方、本実施の形態での環状要素６は円筒形のガスケットの形を取る。当該ガスケットは、スカート３０に形成されて下向きに開いたリセスに保持されているため、リング４はリセス内に進入して要素６を押し、これをネック１０の外側面１３に対し密封状態で加圧接触させる。図を見れば分かるように、環状要素６は、補強用リム１１の円筒形の壁とだけではなくレッジ１２とも協働するため、補強用リム１１の下に入り込む形で径方向内向きに延びることになる。
【００３０】
図２および図３に示した実施の形態におけるリング４は、スカート３０内にネジ留めされていたが、本実施の形態におけるリング４はそれと異なり、スカート３０内にバーブを介してはめ込まれる。これを実現するために、リング４の外側壁には、スカート３０の内側壁とかみ合うのに適したバーブ形成突起４４が設けられている。リング４の頂上側端部にはカム面４２が設けられている。この面４２は内側に向かって傾斜しているが、それは、補強用リム１１の下の所で環状要素６をレッジ１２に押しつけるためである。
【００３１】
この実施例でも同様に、リング４は、容器１に接するリング４の底側端部４６によって、スカート３０内を移動させられる。そうして、リング４は、図１（ａ）および図１（ｂ）におけるのと同じように、スカート３０内で移動する。
【００３２】
図５が示す第４の実施の形態では、リング４に環状要素が形成されており、この環状要素は、本例では参照番号４８で示される。リング４には変形可能な頂上部分４８が設けられており、その頂上側端部４９は、レッジ１２のところで補強用リムの下にはまり込む。リング４の部分４８を押して補強用リム１１の下で変形させるために、スカート３０にはカム面３８が設けられておる。リング４が、容器１の肩に接する底側端部４６によってスカート３０の内側で上がっていくにつれ、リング４の頂上側端部４８は、このカム面３８に沿う形で変形していく。この例では、リング４の寸法を、底側端部４６が容器の肩と接触する一方で、頂上側端部４９がレッジ１２の下側に接触するように、正確に決めておくことが必須である。
【００３３】
本実施の形態でも、リング４とスカート３０との間のかみ合いは、バーブによって実現される不可逆的なものである。
【００３４】
図６に示す第５の実施の形態は、これまでの実施の形態とは異なり、リング４がトリムバンド５内にはめ込まれ、その手段はバンド内での径方向のクランプである。リングはバンドとスカートとの間に保持される。リングにはカム４２が設けられており、このカムは、スカートの部分３６を補強用リムの下で内向きに変形させて、レッジに受け台接触させるのに適したものである。また、リングは、その底側端部を介して容器の肩に接し、それによって前記リングをバンドの内側で移動させる。
【００３５】
なお、リングとスカート３０とのかみ合いの様態（ネジ留め、又はバーブによるもの）については、これまでに記述した実施の形態のそれぞれの間で入れ換えてもよい、ということを指摘しておく。
【００３６】
本発明の原則は、リングをスカートの内側、またはバンドの内側で移動させ、それによって、要素がネックの外側壁に押し当てられるようにする、というものである。リングを移動させる力は、リングが容器の肩に当たることによって生じることとしてもよいし、リングを容器のネック上で回転しないようにすることで生じさせることとしてもよい。ネックの外側壁に接触する要素については、スカートの一部としてもよいし、リングの一部としてもよいが、そのための部品を追加してもよい。
【図面の簡単な説明】
【図１】（ａ）  本発明に関わる第１の実施の形態の流体ディスペンサを示す縦断面図である。
（ｂ）  （ａ）に示すディスペンサのうち円で囲んだ一部を示す拡大図であり、ネックへの固定がどのように実現されるかを示す図である。
【図２】本発明に関わる第２の実施の形態の流体ディスペンサを示す縦断面図である。
【図３】図２の線ＢＢにおける水平断面図である。
【図４】本発明に関わる第３の実施の形態の流体ディスペンサについて、部分断面を示す縦断面図である。
【図５】図４と類似の図であり、本発明に関わる第４の実施の形態を示す図である。
【図６】図４および５と類似の図であり、本発明に関わる第５の実施の形態を示す図である。
【図１】
2004521724.tif 000003
【図２】
2004521724.tif 000004
【図３】
2004521724.tif 000005
【図４】
2004521724.tif 000006
【図５】
2004521724.tif 000007
【図６】
2004521724.tif 000008
【国際公開パンフレット】
2004521724.tif 000009
2004521724.tif 000010
2004521724.tif 000011
2004521724.tif 000012
2004521724.tif 000013
2004521724.tif 000014
2004521724.tif 000015
2004521724.tif 000016
2004521724.tif 000017
2004521724.tif 000018
2004521724.tif 000019
2004521724.tif 000020
2004521724.tif 000021
2004521724.tif 000022
2004521724.tif 000023
2004521724.tif 000024
2004521724.tif 000025
2004521724.tif 000026
2004521724.tif 000027
【国際調査報告】
2004521724.tif 000028
2004521724.tif 000029
2004521724.tif 000030
2004521724.tif 000031